(57)【要約】【課題】側面板の装着の際に、溶接後の十分な強度を得ることができる側面板を提供すること。【解決手段】移動搬送装置の側面部分を構成する側面板であって、一端が、雄型係合部１９１とされ、他端が、前記雄型係合部１９１と係合する雌型係合部１９２とされ、前記雄型係合部１９１は、端部から延びる係止部１９１１を有し、前記雌型係合部１９２は、前記係止部１９１１が挿入されるスリット１９２１を有することを特徴とする側面板１９である。【選択図】          図１１
2005001821.tif 000002
【特許請求の範囲】
【請求項１】
移動搬送装置の側面部分を構成する側面板であって、
一端が、雄型係合部とされ、他端が、前記雄型係合部と係合する雌型係合部とされ、
前記雄型係合部は、端部から延びる係止部を有し、
前記雌型係合部は、前記係止部が挿入されるスリットを有することを特徴とする側面板。
【請求項２】
前記係止部は、かぎ状に形成されて成ることを特徴とする請求項１に記載の側面板。
【請求項３】
前記係止部は、ピン状に形成されて成り、
前記係止部の先端は、丸みを帯びており、
前記係止部の基端は、前記先端よりも、細いことを特徴とする請求項１に記載の側面板。
【発明の詳細な説明】
【０００１】
【発明の属する技術分野】
本発明は側面板に関し、詳しくは、エスカレータ等の移動搬送装置の搬送部の側面部分を構成する側面板を複数取り付ける際に、溶接後の十分な強度を得ることができる側面板に関する。
【０００２】
【従来の技術】
従来のエスカレータ等の移動搬送装置は、ステップ（踏み板）およびライザー（蹴り上げ板）とを有し、前記ステップおよびライザーが無限軌道上を循環移動するように形成され、人あるいは物を搬送する搬送部の下方にトラスを有する。このトラスは、搬送部の進行方向に見て左右に並行に配置された一対の上部ビームと、これら上部ビームのそれぞれ直下に配置され、したがって搬送部の進行方向から見て左右に配置された一対の下部ビームとを有する。
【０００３】
そして、このトラスには、搬送部の進行方向から見て左側の上部ビームとその真下に位置する下部ビームとに、上部ビームおよび下部ビームの軸線に沿うように、複数の側面板が隙間なく、取り付けられる。搬送部の進行方向から見て右側の上部ビームとその真下に位置する下部ビームとにも、上部ビームおよび下部ビームの軸線に沿うように、複数の側面板が隙間なく、取り付けられ、左右一対の下部ビームには、下部ビームの軸線に沿うように、複数の底面板が取り付けられる。この装着された左右一対の側面板と底面板とを併せてエスカレータ用外装体と称される。
【０００４】
このエスカレータ用外装体を構成する側面板は、図１６に示すように、側面板６４の一端に、Ｚ曲げの補強板６５をスポット溶接または接着剤等により、接着して、他端を端部から突出した突出片６６を有するように形成していた。
【０００５】
この側面板６４を複数枚、装着してエスカレータ用外装体を構成するわけであるが、この装着の際に、上記の側面板６４では、以下のような問題が生じていた。この側面板６４の一端に接着された補強板６５と、一端の端部との間で、別の側面板６４の他端に形成された突出片６６をはさみこむようにして、側面板６４同士の表面を面合わせしていた。このように、補強板６５および一端に端部と、突出片６６との接触する部分の面積が少ないので、溶接して固定する際に溶接後の強度が得られないという問題があった。
【０００６】
【発明が解決しようとする課題】
本発明は、このような従来の問題点を解消し、側面板の装着の際に、溶接後の十分な強度を得ることができる側面板を提供することをその課題とする。
【０００７】
【課題を解決するための手段】
この発明の前記課題を解決するための第１の手段は、
（１）移動搬送装置の側面部分を構成する側面板であって、一端が、雄型係合部とされ、他端が、前記雄型係合部と係合する雌型係合部とされ、前記雄型係合部は、端部から延びる係止部を有し、前記雌型係合部は、前記係止部が挿入されるスリットを有することを特徴とする側面板である。
【０００８】
この第１の手段における好ましい態様としては、下記〈１〉、〈２〉の側面板を挙げることができる。
〈１〉前記係止部は、かぎ状に形成されて成る側面板である。
〈２〉前記係止部は、ピン状に形成されて成り、前記係止部の先端は、丸みを帯びており、前記係止部の基端は、前記先端よりも、細い側面板である。
【０００９】
【発明の実施の形態】
図１に示されるように、所定の階（以後、設置階と称することがある。）から次の階（以後、昇降階と称することがある。）へと掛け渡された斜面移動装置１、たとえばエスカレータにおいて、トラスの両側を覆い隠す両側面部２と、トラスの下面を覆い隠す底面部３とを有する斜面移動装置用外装体４とを有する構造のものが挙げられる。
【００１０】
また、斜面移動装置１としては、図２に示されるように、トラスの両側を覆い隠すと共に、インテリアパネルの下部から設置階の床面にまで延在するように設けられた両側面部２を少なくとも有する斜面移動装置用外装体４とを有する構造のものが挙げられる。
【００１１】
さらに、斜面移動装置１としては、図３に示されるように、設置階から昇降階の途中までの高さについてはトラスの両側を覆い隠すと共に、インテリアパネルの下部から設置階の床面にまで延在するように設けられた両側面部２ａと、設置階と昇降階との途中から昇降階までについてはトラスの両側面部２ｂ及びトラスの下面を覆い隠す底面部２ｃとを有する斜面移動装置用外装体４とを有する構造のものが挙げられる。要するに、この斜面移動装置用外装体４が、トラスを隠蔽するようにトラスに取り付けられる限り種々の形態が採用される。
【００１２】
又、この斜面移動装置用外装体４は、図４に示されるように、底面に照明部５を有することもあり得る。
【００１３】
図５に示される斜面移動装置用外装体１０は、トラスに装着される。
【００１４】
このトラスは、一対の上部ビーム１１とそれら上部ビーム１１の下方に配置された一対の下部ビーム１２とで、フレーム状に形成される。
【００１５】
一対の上部ビーム１１は、図５に示されるように斜面移動装置の搬送部（図示せず。）の進行方向から見ると、水平方向において左右一対となるように配置され、搬送部の進行方向に直交する方向、すなわち斜面移動装置を横から見ると、設置階の床面の下から昇降階の床面の下にまで斜めに延在する。
【００１６】
又、この上部ビーム１１と同様に下部ビーム１２が、上部ビーム１１の直下に配置される。なお、前記搬送部は、無限軌道上を循環移動するステップとライザーとを有する。
【００１７】
この実施例に係る斜面移動装置用外装体１０における上部ビーム１１及び下部ビーム１２はＬ字型アングルで形成される。このＬ字型アングルで上部ビーム１１及び下部ビーム１２を構成し、しかも、所定間隔をもって左右に配置される一対の上部ビーム１１と、一対の上部ビーム１１の直下に、上部ビーム１１に対して所定の間隔を設けて配置される左右一対の下部ビーム１２とで、斜面移動装置全体の強度を持たせるのであるから、このＬ字型アングルにおける水平片及びこの水平片に直交する垂直片の幅及びその厚みについては、斜面移動装置の規模に応じて適宜に決定される。また、このＬ字型アングルの長さも斜面移動装置の規模に応じて適宜に決定される。
【００１８】
左右一対の上部ビーム１１それぞれは、トラスの側方において側面板体１３と並行に配置される側面片１４（垂直片でもある）と、この側面片１４の上端においてこの側面片１４と直交する方向であって、トラスの内側に向かって延在する上端片１５（上端水平片でもある）とを有する。
【００１９】
換言すると、この左右一対の上部ビーム１１は、側面片１４の上端において上端片１５が互いに向き合う状態となって、配置される。この上部ビーム１１は、所定長さの単位ビームを継ぎ足して設置階から昇降階へと延在する長尺のビームとなっている。また、左右一対の上部ビーム１１は、所定間隔ごとに、連結部材（図示せず。）で相互に結合され、補強されている。
【００２０】
左右一対の下部ビーム１２は、左右一対の上部ビーム１１の直下に配置される。
【００２１】
一対の下部ビーム１２それぞれは、トラスの側方において側面板体１３と並行に配置される側面片１４（垂直片とも称される。）と、この側面片１４の上端においてこの側面片１４と直交する方向であって、トラスの内側に向かって延在する下端片１６（下端水平片とも称される。）とを有する。
【００２２】
換言すると、この左右一対の下部ビーム１２は、側面片１４の下端において下端片１６が互いに向き合う状態となって、配置される。この下部ビーム１２は、所定長さの単位ビームを継ぎ足して設置階から昇降階へと延在する長尺のビームとなっている。
【００２３】
また、左右一対の下部ビーム１２は、所定間隔ごとに、連結部材（図示せず。）で相互に結合され、補強されている。さらに、この左右一対の下部ビーム１２及び左右一対の上部ビーム１１は、相互に連結部材（図示せず。）で連結され、かつ補強されている。したがって、この左右一対の上部ビーム１１、左右一対の下部ビーム１２及びこれらを結合する連結部材によって、フレーム状になった構造体が形成される。
【００２４】
図５及び図６に示されるように、斜面移動装置用外装体１０は、トラスの側方部を覆うように装着される２基の側面板体１３と、各側面板体１３を下部ビーム１２に取り付けることを目的とするＬ字状アングル１７Ａと、トラスの下方を覆うように装着される底面板体１８と、底面板体１８を側面板体１３に取り付けることを目的とするＬ字状アングル１７Ｂとを有する。
【００２５】
２基の側面板体１３はいずれも、側面板１９と、裏面装着Ｃチャネル２２とを備える。２基の側面板体１３はいずれも同じ構造を有するので、一方の側面板体１３について、以下に説明する。
【００２６】
この側面板体１３の、図５における左側から見た輪郭形状は、斜面移動装置におけるどの外装部分にこの側面板体１３が装着されるかにより、適宜に決定される。
【００２７】
例えば、図１に示されるように、斜面移動装置の設置階から昇降階までの中央部における側面を覆うように配置される側面板体１３であれば、略菱形に形成され、又は図示しない長方形に形成され、図１に示されるように、設置階における床下及び昇降階における床下における側面を覆うように配置される側面板体１３であれば、略長方形又は正方形に形成されることがある。
【００２８】
図２に示されるように、斜面移動装置の側面を設置階の床面まで覆うように配置される側面板体１３であれば、縦長の短冊状であって、上端を斜に切り落としたような形状に設計されることもある。
【００２９】
図５に示される斜面移動装置用外装体１０における側面板体１３の、図５における左側から見た輪郭形状は、長方形である。
【００３０】
この側面板体１３の下端部は直角に裏側に折り返され、裏側に折り返された下端延在片２０は、更に内側に折り返されて立設片２１が形成されている。更に言うと、側面板体１３は、トラスの側面に配置される長方形状の側面板１９と、その下端に、側面板１９の裏側へと直角に折り返されて延在する下端延在片２０と、その下端延在片２０の先端部で、前記側面板１９と平行に、かつ前記下端延在片２０に対して直交する立設片２１とを有する。なお、この側面板１９に関しては、後に詳述する。
【００３１】
この立設片２１は、後述する底面板体１８を保持、ないし支持する機能を有し、前記下端延在片２０は、前記立設片２１を保持すると同時に、斜面移動装置の底面の一部を形成する。
【００３２】
この側面板体１３の外側面（図５において左側となる面）は、塗装面である。前記裏面装着Ｃチャネル２２は、図５及び図６に示されるように、長手方向に直交する断面が「Ｃ」の字形に似ていることから、このような名称が付されている。
【００３３】
この実施例においては、この裏面装着Ｃチャネル２２は、前記側面板１９の裏面に装着される底辺部２３、その底辺部２３の両側から直角に立設する側面部２４、各側面部２４の先端で、所定の間隔を設けて互いに向き合うように、しかも前記底辺部２３に平行に折曲されてなる折曲片部２５とを有する長尺状の取付部材である。
【００３４】
この裏面装着Ｃチャネル２２における前記折曲片部２５同士の間隔は、後述するＴボルト２６におけるボルト部２７が挿通し、かつＴボルト２６における基板２８が抜け出ることのない寸法に設定されている。
【００３５】
この裏面装着Ｃチャネル２２においては、前記底辺部２３、両側面部２４及び両折曲片部２５によりＴボルト２６における基板２８が収容される内部空間が形成され、また、この裏面装着Ｃチャネル２２の長手方向における両端は開口している。したがって、この裏面装着Ｃチャネル２２には、その両端のいずれか一方の開口部からＴボルト２６の基板２８を内部空間内に容易に挿入することができる。
【００３６】
この裏面装着Ｃチャネル２２は、前記側面板体１３をトラスの側面に装着した場合に、この裏面装着Ｃチャネル２２の長手方向が下部ビーム１２の長手方向に沿うように、側面板体１３の裏面に装着される。
【００３７】
この実施例においては、所定長さを有する２本の裏面装着Ｃチャネル２２が側面板体１３の裏面に取り付けられている。裏面装着Ｃチャネル２２は、側面板体１３に、溶接で取り付けられている。なお、この裏面装着Ｃチャネル２２を側面板体１３に取り付ける溶接作業は、側面板体１３を製造する現場で行われる。
【００３８】
裏面装着Ｃチャネル２２の内部空間に挿入されるＴボルト２６は、図７に示されるように、略正方形の基板２８と、この基板２８の中心部から垂直に立設するボルト部２７とを有してなる。
【００３９】
前記側面板体１３の裏面の下端近傍には、前記裏面装着Ｃチャネル２２のほかに、図１０に示されるように、小型Ｌ字状取り付け片２９が所定間隔を設けて２個取り付けられている。
【００４０】
この小型Ｌ字状取り付け片２９は、Ｌ字状をなす板状体であり、この側面板体１３を下部ビーム１２に装着するのを補助することを目的に取り付けられている。この小型Ｌ字状取り付け片２９は、図１０に示されるように、その一辺を側面板１９の裏面に沿って縦方向に、また、その側面板１９に沿うように配置されたその一辺の下端から先端部が側面板１９の裏側で立設するように、かつ、この側面板体１３をトラスの側面に装着したときに下部ビーム１２よりも下方に位置するように、側面板１９の裏面に装着される。
【００４１】
この小型Ｌ字状取り付け片２９の各先端部には、係止ピン３０が開設されている。この係止ピン３０は、後述するターンバックルＴＢを取り付けるピンである。
【００４２】
前記側面板１９の裏面には、図５に示されるように、保護板３１が配設される。この保護板３１は、この側面板１９を保護し、薄板である側面板１９に強度を与え、側面板１９の湾曲を防止する。
【００４３】
図５及び図８に示されるように、前記下部ビーム１２の下端水平片（水平片１６）の下面には、長尺の下部ビーム用Ｃチャネル３１Ａが、溶接により固定的に取り付けられている。
【００４４】
この下部ビーム用Ｃチャネル３１Ａは、前記裏面装着Ｃチャネル２２と基本的に同様の構造を有する。この下部ビーム用Ｃチャネル３１Ａの内部空間にはＴボルト２６が挿入配置される。
【００４５】
前記底面板体１８は、左右一対の下部ビーム１２の下方に配置されて斜面移動装置の底面を形成する。
【００４６】
図５及び図９に示されるように、この底面板体１８は、底面板３２と、固定用Ｃチャネル３３とを有する。この底面板体１８には、斜面移動装置の進行方向に向かって見た場合における底面板３２の左右端部に、前記立設片２１により支持される載置片３４が折曲して形成されている。
【００４７】
前記固定用Ｃチャネル３３は、前記裏面装着Ｃチャネル２２と基本的に同様の構造を有する。そして、この固定用Ｃチャネル３３は、底面板３２の両端部近傍それぞれで、底面板３２の長手方向に沿って、底辺部２３と底面板３２とを溶接することにより固定的に底面板体１８に取り付けられている。
【００４８】
この固定用Ｃチャネル３３の内部空間にはＴボルト２６が挿入配置される。
【００４９】
この底面板体１８は、図６に示されるように、Ｌ字状アングル１７Ｂを介して、側面板体１３に取り付けられる。
【００５０】
Ｌ字状アングル１７Ａは、図６及び図８に示されるように、Ｌ字状に折曲してなる板体であり、各片それぞれには、長穴３７が開設されている。この長穴３７は、側面板体１３の下部ビーム１２に対する水平方向及び縦方向の位置決めをするのに、都合が良い。
【００５１】
Ｌ字状アングル１７Ｂも、図６に示されるように、Ｌ字状に折曲してなる板体であり、各片それぞれには、長穴３７が開設されてなり、基本的には前記Ｌ字状アングル１７Ａと同様の構造を有している。このＬ字状アングル１７Ａ及びＬ字状アングルＢは互いに同一の形状及び構造を有していてもよく、また寸法が相違していても良い。
【００５２】
要するに、Ｌ字状アングル１７Ａが、水平方向の位置決めが可能に下部ビーム１２の取り付けることができ、かつ側面板体１３に対して縦方向の位置決めが可能に側面板体１３に取り付けることができる限り、またＬ字状アングル１７Ｂが、水平方向の位置決めが可能に底面板体１８に取り付けることができ、かつ側面板体１３に対して縦方向の位置決めが可能に側面板体１３に取り付けることができる限り、このＬ字状アングル１７ＡとＬ字状アングル１７Ｂとは同一形状ないし同一構造であっても良く、また相違する形状ないし構造であっても良いのである。
【００５３】
一方、図５に示されるように、上部ビーム１１の上方には、外装部材の一例である外部デッキ３８が配置される。この外部デッキ３８の、斜面移動装置の進行方向から見た両端部それぞれは、左右一対の上部ビーム１１よりも更に外側に張り出し、下方に向けて直角に折曲された折曲係止部３９を有する。
【００５４】
この外部デッキ３８の下面であって両端近傍には、箱型部材４０が取り付けられていて、この箱型部材４０には、回転軸を中心にして回転可能なＬ字片４１が取り付けられている。
【００５５】
このＬ字片４１は、前記箱型部材４０に接する回動片４２とこの回動片４２の一端に直角に折曲して形成されたネジ取り付け片４３とを有する。このネジ取り付け片４３には、長ネジ４４が螺合されている。前記回動片４２の中央部には、回転軸が取り付けられ、この回転軸が前記箱型部材４０に装着されている、これによって、回動片４２が回転可能になる。
【００５６】
この実施例においては、側面板連結支持手段が、裏面装着Ｃチャネル２２、この裏面装着Ｃチャネル２２の内部空間に挿入配置されるＴボルト２６、このＴボルト２６に螺合するナット４５、下部ビーム１２の下端片１６に溶接された下部ビーム用Ｃチャネル３１Ａ、この下部ビーム用Ｃチャネル３１Ａの内部空間に挿入配置されるＴボルト２６、このＴボルト２６に螺合するナット４５、及びＬ字状アングル１７Ａを備えて構成される。
【００５７】
また、この実施例においては、側面板連結支持手段における第１連結部材が、Ｌ字状アングル１７Ａに相当する。
【００５８】
この実施例における、第１連結部材を下部ビーム１２に固定する第１固定部材は、下部ビーム１２の下面に装着された下部ビーム用Ｃチャネル３１Ａと、これに挿入配置されたＴボルト２６と、このＴボルト２６のボルト部２７に螺合されるナット４５とを含む。
【００５９】
この実施例における、第２固定部材は、裏面装着Ｃチャネル２２と、これに挿入配置されたＴボルト２６と、このＴボルト２６のボルト部２７に螺合するナット４５とを含んで形成される。
【００６０】
この実施例においては、底面板連結固定手段が、下部ビーム１２の下端片１６に溶接された下部ビーム用Ｃチャネル３１Ａ、この下部ビーム用Ｃチャネル３１Ａの内部空間に挿入配置されるＴボルト２６、このＴボルト２６に螺合するナット４５、Ｌ字状アングル１７Ｂ、底面板体１８に溶接された固定用Ｃチャネル３３、この固定用Ｃチャネル３３の内部空間に挿入配置されたＴボルト２６、及びこのＴボルト２６に螺合するナット４５を備えて構成される。この実施例においては、第２連結部材がＬ字状アングル１７Ｂに相当する。
【００６１】
この実施例における、この第２連結部材を前記下部ビーム１２に固定する第３固定部材は、下部ビーム用Ｃチャネル３１Ａ、この下部ビーム用Ｃチャネル３１Ａの内部空間に挿入配置されるＴボルト２６、このＴボルト２６に螺合するナット４５で構成される。
【００６２】
この第２連結部材を底面板体に固定する第４固定部材は、固定用Ｃチャネル３３、この固定用Ｃチャネル３３の内部空間に挿入配置されたＴボルト２６、及びこのＴボルト２６に螺合するナット４５を含んで形成される。
【００６３】
また、以上の説明により明らかなように、Ｌ字状アングル１７ＡとＬ字状アングル１７Ｂとは別体であるが、これを一個の部材で共用してなるコ字状のアングルであっても良い。
【００６４】
［側面板１９の詳細な構成］
側面板１９は、図５に示されるように、１枚以上の、この側面板１９がトラスの側面に配置されることによってトラスの側面全体を覆うことができるように側面板１９の形状が決定される。
【００６５】
また、エスカレータのステップの進行方向に直交する方向すなわちトラスの横方向から見たトラスの側面部の形状は設置階から昇降階へと斜行しているので、トラスの側面部の位置に応じて、トラスの側面部に装着される各側面板１９の形状が相違する。
【００６６】
例えば、設置階におけるトラスの側面部に装着される側面板１９は、図１に示されるように、略長方形あるいは正方形をなし、トラスが斜行する側面部に装着される側面板１９は、この側面板１９を縦にした場合に、垂直になる縦の垂直辺と斜行する上部斜行辺と斜行する下部斜行辺とを有して、ほぼ菱形のような形状をなす。
【００６７】
エスカレータにおける設置階と昇降階との間に位置する部位での側面板の形状は、図２に示されるように、ほぼ長方形あるいは正方形を取り得る。たとえば正方形の側面板１９をトラスの側面部に装着すると、装着された側面板１９の両辺は、斜行するエスカレータの傾斜角に直角になる。従って、側面板１９の形状は、側面板１９の設置形態によって、様様な形状を選択できる。
【００６８】
側面板１９の材質としては、特に制限がなく、たとえば鉄、アルミニウム等の金属、ガラスなどのセラミックス、アクリル樹脂などの高分子化合物を挙げることができる。
【００６９】
図１１は、側面板１９の断面形状を示している。側面板１９は、図１１に示されるように、一端が、雄型係合部１９１とされ、他端が、雄型係合部１９１と係合する雌型係合部１９２とされ、前記雄型係合部１９１は、端部から外側へ延びる係止部１９１１を有し、前記雌型係合部１９２は、前記係止部１９１１が挿入されるスリット１９２１を有する。
【００７０】
係止部１９１１は、側面板１９の一端を裏面側が延びるように、Ｚ曲げにより形成された片状に形成されて成る。スリット１９２１は、略長方形状であり、側面板１９の他端の端面の裏面側に形成されている。なお、これら係止部１９１１およびスリット１９２１は、本実施形態では、側面板１９のそれぞれの端部の上側、下側の２箇所に形成されている。これら係止部１９１１およびスリット１９２１は、上記したように２箇所に限られず、端面に沿って、等間隔に複数形成されるようにしてもよいし、端面に沿って１箇所に形成されるようにしてもよい。
【００７１】
係止部１９１１は、図１１に示したように、片状に形成されてなるものであったが、これに限られず、図１２（（ａ）側面板１９の断面図、（ｂ）雌型係合部１９２側の拡大斜視図、（ｃ）雄型係合部１９１側の拡大斜視図である。）に示すように、かぎ状に形成されて成るようにしてもよい。このようにすれば、スリット１９２１に引っ掛けるようになるから、側面板１９は、上下方向にずれることがないので、より確実に固定することができる。
【００７２】
また、図１３（（ａ）側面板１９の断面図、（ｂ）雌型係合部１９２側の拡大斜視図、（ｃ）雄型係合部１９１側の拡大斜視図である。）に示すように、前記係止部１９１１は、ピン状に形成されて成り、前記係止部１９１１の先端は、丸みを帯びており、前記係止部１９１１の基端は、前記先端よりも、細いようにして成るようにしてもよい。
【００７３】
この際、挿入されるスリット１９２１は、係止部１９１１の先端の形状に応じて、円形の部分を有するようにすることが望ましい。このようにすれば、係止部１９１１の先端が丸みを帯びているので、スリット１９２１への挿入がし易く、また、係止部１９１１の基端が先端よりも細いことにより、スリット１９２１のへの挿入後、側面板１９の装着が外れることがなく、簡単な作業で、側面板１９の装着を行うことができる。
【００７４】
［側面板１９の取り付け手順］
この側面板１９を取り付ける手順としては、以下のとおりである。図１４に示すように、先行して取り付けられた側面板１９（以下、先行の側面板１９と略す場合がある。）と、この先行して取り付けられた側面板にさらに後続して取り付ける側面板１９（以下、後続の側面板１９と略す場合がある。）とを例として述べる。
【００７５】
先行の側面板１９の他端としての下側の雌型係合部１９２のスリット（図１４では略、図１１参照）に、後続の側面板１９の一端としての下側の雄型係合部１９１の係止部（図１４では、略、図１１参照）を挿入する。
【００７６】
次に、後続の側面板１９を起こして、先行の側面板１９との表面同士の面合わせ、上下方向の位置決めを行いながら、側面板１９の上側の雌型係合部１９２のスリット（図１４では略、図１１参照）に、後続の側面板１９の上側の雄型係合部１９１の係止部（図１４では、略、図１１参照）を挿入する。
【００７７】
上述のような本実施形態によれば、次のような効果がある。
（１）側面板１９は、一端が、雄型係合部１９１とされ、他端が、雄型係合部１９１と係合する雌型係合部１９２とされ、前記雄型係合部１９１は、端部から外側へ延びる係止部１９１１を有し、前記雌型係合部１９２は、前記係止部１９１１が挿入されるスリット１９２１を有することにより、スリット１９２１に挿入された係止部１９１１の基端部分と、スリット１９２１との接触する部分の面積が大きくなり、図１５に示されるような、側面板１９の溶接の際に、有効な接触面積が増大することとなるので、側面板１９の装着の際に、溶接後の十分な強度を得ることができる。
【００７８】
（２）従来のように、Ｚ曲げの補強板を必要としないので、側面板の材料費の削減を図ることができる。
【００７９】
（３）側面板１９の重量を必要以上に受けずに行うので、側面板１９の取り付け作業を簡素化することができる。
【００８０】
なお、本発明は前記実施形態に限定されるものではなく、本発明の目的を達成できる範囲での変形、改良は、本発明に含まれるものである。前記実施形態では、前記斜面移動装置１としては、斜面の傾斜角が３０度であるエスカレータの例を挙げたが、これに限られず、傾斜角が３０度未満たとえば１１度および７度であり、トラボレータ（商品名）、トラベータ（商品名）、およびコンペバイヤ（商品名）等と称されている装置等を挙げることができる。さらに、斜面移動装置１のような斜面を有しない、水平に移動・搬送する装置等としてもよい。
【００８１】
その他、本発明を実施する際の具体的な構造および形状等は、本発明の目的を達成できる範囲内で他の構造等としてもよい。
【００８２】
【発明の効果】
本発明によれば、側面板の装着の際に、溶接後の十分な強度を得ることができる側面板を提供することができる。
【図面の簡単な説明】
【図１】図１は、斜面移動装置の側面を示す概略説明図である。
【図２】図２は、他の斜面移動装置の側面を示す概略説明図である。
【図３】図３は、他の斜面移動装置の側面を示す概略説明図である。
【図４】図４は、照明部を有する斜面移動装置を示す概略説明図である。
【図５】図５は、トラスの側方部に配置され、下部ビームに支持された側面板体を示す一部切欠断面図である。
【図６】図６は、側面板体の裏面に取り付けられた裏面装着Ｃチャネル及びＬ字状アングルとを示す一部切欠斜視図である。
【図７】図７は、Ｔボルトを示す斜視図である。
【図８】図８は、下部ビームと下部ビーム用Ｃチャネルと、Ｌ字状アングルとを示す斜視図である。
【図９】図９は、Ｔボルトを挿入配置した固定用Ｃチャネルを有する底面板体を示す斜視図である。
【図１０】図１０は、下部ビームに側面板体を装着する方法を示す参考説明図である。
【図１１】図１１は、側面板の断面を示す説明図である。
【図１２】図１２は、側面板の断面の第１の変形例を示す説明図である。ここで、（ａ）は、断面図、（ｂ）は、雌型係合部の拡大斜視図、（ｃ）は、雄型係合部の拡大斜視図である。
【図１３】図１３は、側面板の断面の第２の変形例を示す説明図である。ここで、（ａ）は、断面図、（ｂ）は、雌型係合部の拡大斜視図、（ｃ）は、雄型係合部の拡大斜視図である。
【図１４】図１４は、側面板の取り付け手順を示す説明図である。
【図１５】図１５は、側面板の溶接手順を示す説明図である。
【図１６】図１６は、従来の側面板の断面を示す説明図である。
【００８３】
【符号の説明】
１    斜面移動装置
２    側面部
２ａ    側面部
２ｂ    側面部
２ｃ    底面部
３    底面部
４    斜面移動装置用外装体
５    照明部
１０    斜面移動装置用外装体
１１    上部ビーム
１２    下部ビーム
１３    側面板体
１４    側面片
１５    上端片
１６    下端片
１７Ａ    Ｌ字状アングル
１７Ｂ    Ｌ字状アングル
１８    底面板体
１９    側面板
１９１    雄型係合部
１９２    雌型係合部
１９１１    係止部
１９２１    スリット
２０    下端延在片
２１    立設片
２２    裏面装着Ｃチャネル
２３    底辺部
２４    側面部
２５    折曲片部
２６    Ｔボルト
２７    ボルト部
２８    基板
２９    小型Ｌ字状取り付け片
３０    係止ピン
３１    保護板
３１Ａ    下部ビーム用Ｃチャネル
３２    底面板
３３    固定用Ｃチャネル
３４    載置片
３７    長穴
３８    外部デッキ
３９    折曲係止部
４０    箱型部材
４１    Ｌ字片
４２    回動片
４３    ネジ取り付け片
４４    長ネジ
４５    ナット
４６    大型Ｌ字状取り付け片
４７    ベース
４８    装着ピン
４９    装着用片
５２    支え部材
５３    支持部材
５４    支持ボルト
６４    側面板
６５    補強板
６６    突出片
【図１】
2005001821.tif 000003
【図２】
2005001821.tif 000004
【図３】
2005001821.tif 000005
【図４】
2005001821.tif 000006
【図５】
2005001821.tif 000007
【図６】
2005001821.tif 000008
【図７】
2005001821.tif 000009
【図８】
2005001821.tif 000010
【図９】
2005001821.tif 000011
【図１０】
2005001821.tif 000012
【図１１】
2005001821.tif 000013
【図１２】
2005001821.tif 000014
【図１３】
2005001821.tif 000015
【図１４】
2005001821.tif 000016
【図１５】
2005001821.tif 000017
【図１６】
2005001821.tif 000018